(57)【特許請求の範囲】
【請求項１】
建物躯体に取付けられるフレーム体に、上下枠及び左右の縦枠を枠組みしてなる枠体を取付け、前記下枠の室外側には水切り材を設けてなるサッシにおいて、
前記フレーム体のうち前記下枠が固定される下フレーム材は、室外端部に係合部を備え、前記水切り材は、室内端部に前記下枠の室外側に面する垂直面に対して当接固定される起立片を備えると共に、前記下フレーム材の係合部を係合固定する被係合部を下面側に有し、前記下フレーム材は前記下枠を固定する上面の室外端部から垂下される室外面部を有し、該室外面部の先端部が前記係合部とされ、前記水切り材は前記室外面部の先端部を係合して保持する係合保持部を室内端部に有して前記被係合部としたことを特徴とするサッシ。
【請求項２】
前記下フレーム材は室外側に延出される延長部材を室外端部に取付けてなり、前記延長部材の室外端部に前記係合部が形成されることを特徴とする請求項１記載のサッシ。
【請求項３】
前記被係合部は前記延長部材の室外端部を引っ掛け係合自在となるように形成されることを特徴とする請求項２記載のサッシ。
【発明の詳細な説明】
【技術分野】
【０００１】
本発明は、建物躯体に設けられるフレーム体に枠体を取付け、枠体を構成する下枠の室外側に水切り材を設けてなるサッシに関し、特にフレーム体を構成する下フレーム材と水切り材とを連結したサッシに関する。
【背景技術】
【０００２】
従来、鉄筋コンクリート（ＲＣ）造や鉄骨鉄筋コンクリート（ＳＲＣ）造の建物躯体に対してサッシの枠体を効率よく取付けるため、枠体にフレーム体を取付けてなるサッシフレームを躯体開口部に取付ける構造が知られている。サッシフレームは、枠体とフレーム体とを工場で固定してユニット化し、施工現場ではフレーム体を躯体開口部に取付けられた下地材に対して固定する。そして、サッシフレームの周囲にはＡＬＣパネルやＰＣパネルからなる外壁材が設けられる。これによって、施工現場において溶接等の作業を不要とすることができ、枠体を効率よく取付けることができる。また、溶接が不要であるため、後でサッシフレームを交換することも可能となる。
【０００３】
一般的に、サッシの枠体を構成する下枠には、室外側に水切り材が設けられる。水切り材は、下枠の上面よりも低い位置に、室外側に向かって下方傾斜状の上面を有し、その室外端部は建物躯体を構成する外壁材の室内面よりも室外側に配置される。これにより、サッシから排水される水が、外壁材の内周面や室内側に浸入することを防止することができる。このようにフレーム体に枠体を取付けるサッシにおいて水切り材を設けたものとしては、例えば特許文献１に挙げるようなものがある。
【先行技術文献】
【特許文献】
【０００４】
【特許文献１】特開２００９−２４３１８７号公報
【発明の概要】
【発明が解決しようとする課題】
【０００５】
従来のフレーム体に枠体を取付けるサッシでは、水切り材は溶接によりフレーム体に接合されるか、あるいは外壁材に埋設されたアンカー部材に対して固定されていた。水切り材を溶接接合する場合、溶接に伴う歪み等を考慮する必要があり、接合にも手間がかかるという問題があった。また、別部品を介して水切り材を固定する場合には、水切り材の下面側での取付作業が煩雑となるという問題があった。
【０００６】
本発明は前記課題を鑑みてなされたものであり、水切り材を容易に固定することのできるサッシを提供することを目的とする。
【課題を解決するための手段】
【０００７】
前記課題を解決するため、本発明に係るサッシは、建物躯体に取付けられるフレーム体に、上下枠及び左右の縦枠を枠組みしてなる枠体を取付け、前記下枠の室外側には水切り材を設けてなるサッシにおいて、
前記フレーム体のうち前記下枠が固定される下フレーム材は、室外端部に係合部を備え、前記水切り材は、室内端部に前記下枠の室外側に面する垂直面に対して当接固定される起立片を備えると共に、前記下フレーム材の係合部を係合固定する被係合部を下面側に有し、前記下フレーム材は前記下枠を固定する上面の室外端部から垂下される室外面部を有し、該室外面部の先端部が前記係合部とされ、前記水切り材は前記室外面部の先端部を係合して保持する係合保持部を室内端部に有して前記被係合部としたことを特徴として構成されている。
【０００８】
また、本発明に係るサッシは、前記下フレーム材は室外側に延出される延長部材を室外端部に取付けてなり、前記延長部材の室外端部に前記係合部が形成されることを特徴として構成されている。
【０００９】
さらに、本発明に係るサッシは、前記被係合部は前記延長部材の室外端部を引っ掛け係合自在となるように形成されることを特徴として構成されている。
【発明の効果】
【００１１】
本発明に係るサッシによれば、フレーム体のうち下枠が固定される下フレーム材は、室外端部に係合部を備え、水切り材は、室内端部に下枠の室外側に面する垂直面に対して当接固定される起立片を備えると共に、下フレーム材の係合部を係合固定する被係合部を下面側に有することにより、水切り材の固定に溶接が不要であり、また、水切り材の下面側でのビス止め等の作業を不要としつつ、水切り材の強固な固定をなすことができる。また、水切り材は、施工時あるいは使用時において破損することがあるが、この場合でも、水切り材の露出面側からの作業で、これを交換することができるので、交換を容易にすることができる。
【００１２】
また、本発明に係るサッシによれば、下フレーム材は室外側に延出される延長部材を室外端部に取付けてなり、延長部材の室外端部に係合部が形成されることにより、水切り材を延長部材の室外端部に係合させることにより、容易に固定ができると共に、水切り材の室内外中間位置を延長部材で支持できるので、上下方向の振れ止めもなすことができる。
【００１３】
さらに、本発明に係るサッシによれば、被係合部は延長部材の室外端部を引っ掛け係合自在となるように形成されることにより、水切り材と延長部材との係合をより容易にすることができる。
【００１４】
さらにまた、本発明に係るサッシによれば、下フレーム材は下枠を固定する上面の室外端部から垂下される室外面部を有し、室外面部の先端部が係合部とされ、水切り材は室外面部の先端部を係合して保持する係合保持部を室内端部に有して被係合部としたことにより、下フレーム材と水切り材の固定に他の部品を必要とせず、部品点数を少なくしてコストダウンを図ることができる。
【図面の簡単な説明】
【００１５】
【図１】フレーム体の内観図である。
【図２】サッシの外観図である。
【図３】サッシの縦断面図である。
【図４】サッシの横断面図である。
【図５】図３の下枠付近拡大図である。
【図６】第２の実施形態におけるサッシの下枠及び下フレーム材の断面図である。
【発明を実施するための形態】
【００１６】
本発明の実施形態について図面に沿って詳細に説明する。図１にはフレーム体１の内観図を示している。本実施形態のサッシは、枠体２が固着されてなるフレーム体１を建物躯体Ａに対して取付けて構成されるものである。図１は、このうち枠体２を省略してフレーム体１が建物躯体Ａに対して取付けられた状態を示している。建物躯体Ａには、横方向に長い開口部が形成され、開口部の上辺と下辺には、予め下地材４が設置されている。この下地材４に対してフレーム体１が取付けられる。
【００１７】
フレーム体１は、いずれも鋼製の下フレーム材１０と左右の縦フレーム材１１とで、略Ｈ字状をなすように組まれている。左右の縦フレーム材１１の上端部は、上側の下地材４に対して固着され、左右の縦フレーム材１１の下端部は、下側の下地材４に対して固着される。
【００１８】
図２には、サッシの外観図を示している。この図では、枠体２や、サッシの周りに配置される外壁材５についても示している。枠体２は、フレーム体１のうち下フレーム材１０と左右の縦フレーム材１１及び上側の下地材４で囲まれた領域に配置される。下フレーム材１０と左右の縦フレーム材１１及び下側の下地材４で囲まれた領域には、外壁材５が配置される。また、左右の縦フレーム材１１の外側領域にも、下地材４間に渡る高さを有した外壁材５が配置される。
【００１９】
図３にはサッシの縦断面図を、図４にはサッシの横断面図を、それぞれ示している。枠体２は、上枠２０と下枠２１及び左右の縦枠２２、２２を方形状に枠組みしてなり、その内部には障子３が内外引き違い状に納められている。上枠２０は、建物躯体Ａに設けられる下地材４に対して固着されている。一方、下枠２１は、フレーム体１を構成する下フレーム材１０に対して固着される。また、縦枠２２は、フレーム体１を構成する縦フレーム材１１に対して固着される。
【００２０】
図５には図３の下枠２１付近拡大図を示している。フレーム体１を構成する下フレーム材１０は、下枠２１を載置させると共に固定する下枠固定面部１０ａを上面として有し、下枠固定面部１０ａの室内端部からは室内面部１０ｂが下方に垂下され、下枠固定面部１０ａの室外端部からは室外面部１０ｃが下方に垂下される。下フレーム材１０の室内面部１０ｂは、外壁材５の室内側面に当接し、ビス止め固定される。
【００２１】
下枠２１の室外側には、外壁材５の上面を覆うように水切り材２３が設けられる。水切り材２３は、下枠２１の室外端部から外壁材５の室外面より室外側までに渡って、室外方向に向かう下方傾斜状の上面部２３ａを備え、上面部２３ａの室外端部からは下方に垂下された室外面部２３ｂが形成されており、枠体２から排水された水を、外壁材５の室外側に導くことができる。図４に示されているように、水切り材２３の両端には、それぞれキャップ２４が取付けられる。
【００２２】
水切り材２３には、上面部２３ａの室内端部に、垂直方向に立ち上がる起立片２３ｃが形成されている。下枠２１は、室外側に面する垂直面２１ａを下部に有しており、この垂直面２１ａに対して水切り材２３の起立片２３ｃが当接し、ビス止め固定されている。
【００２３】
下フレーム材１０には、室外端部である室外面部１０ｃに対して、下フレーム材１０を室外側に延出する延長部材１２が取付固定される。延長部材１２は、室外面部１０ｃに当接してビス止め固定される当接面部１２ａと、当接面部１２ａから室外側に向かって伸びる延長面部１２ｂと、延長面部１２ｂの先端部を構成する係合部１２ｃとを有してなっている。
【００２４】
水切り材２３の下面には、室内外方向中間位置に、断面フック状の被係合部２３ｄが形成されている。被係合部２３ｄは、延長部材１２の係合部１２ｃを引っ掛け係合自在としている。延長部材１２は、係合部１２ｃ付近の先端部が、水切り材２３の上面部２３ａに沿うように角度を有しているので、係合部１２ｃを被係合部２３ｄに対して係合させることで、水切り材２３は延長部材１２により支持される。これにより、起立片２３ｃにおける固定と併せて、水切り材２３を固定することができると共に、水切り材２３の上下方向における振れ止めをなすことができる。
【００２５】
延長部材１２は、水切り材２３の取付前から下フレーム材１０に取付けられている。枠体２がフレーム体１に取付けられた後に、延長部材１２の係合部１２ｃを水切り材２３の被係合部２３ｄに引っ掛け係合させると共に、水切り材２３の起立片２３ｃを下枠２１の垂直面２１ａに対して当接、ビス止めして、水切り材２３を下枠２１の室外側に固定する。
【００２６】
このように、下フレーム材１０に予め取付けられた延長部材１２の係合部１２ｃを、水切り材２３の下面に形成された被係合部２３ｄに対し、引っ掛け係合して、水切り材２３をフレーム体１に固定するようにしたので、水切り材２３の固定に溶接が不要であり、また、水切り材２３の下面側でのビス止め等の作業を不要としつつ、水切り材２３の強固な固定と上下方向の振れ止めをなすことができる。
【００２７】
次に、本発明の第２の実施形態について説明する。第２の実施形態のサッシは、全体的な構成については第１の実施形態と同様であり、水切り材２３の固定構造のみが異なっている。図６には、第２の実施形態におけるサッシの下枠２１及び下フレーム材１０の断面図を示している。
【００２８】
図６に示すように、水切り材２３は、上面部２３ａと室外面部２３ｂ、及び起立片２３ｃの構成については、第１の実施形態と同様であるが、被係合部２３ｄが、下面の室内端部に形成されている。本実施形態においては、下フレーム材１０の室外面部１０ｃの下端部が、係合部１０ｄとなっており、水切り材２３の被係合部２３ｄは、この係合部１０ｄを納めて係合させるように、水切り材２３の下面から下方に垂下されると共に、先端部が断面略コ字状をなすように形成されている。
【００２９】
水切り材２３の取付手順は、第１の実施形態と同様であり、下フレーム材１０の係合部１０ｄを水切り材２３の被係合部２３ｄに係合させると共に、水切り材２３の起立片２３ｃを下枠２１の垂直面２１ａに対して当接、ビス止めする。
【００３０】
以上、本発明の実施形態について説明したが、本発明の適用は本実施形態には限られず、その技術的思想の範囲内において様々に適用されうるものである。
【符号の説明】
【００３１】
１    フレーム体
２    枠体
３    障子
４    下地材
５    外壁材
１０    下フレーム材
１０ａ  下枠固定面部
１０ｂ  室内面部
１０ｃ  室外面部
１１    縦フレーム材
１２    延長部材
１２ａ  当接面部
１２ｂ  延長面部
１２ｃ  係合部
２０    上枠
２１    下枠
２１ａ  垂直面
２２    縦枠
２３    水切り材
２３ａ  上面部
２３ｂ  室外面部
２３ｃ  起立片
２３ｄ  被係合部
【図１】
0005648998.tif 000002
【図２】
0005648998.tif 000003
【図３】
0005648998.tif 000004
【図４】
0005648998.tif 000005
【図５】
0005648998.tif 000006
【図６】
0005648998.tif 000007